(57)【要約】【課題】複数のファブリペロー干渉フィルタを効率良く且つ歩留まり良く得ることを可能にする電気的検査方法を提供する。【解決手段】電気的検査方法は、互いに対向する第１ミラー部と第２ミラー部との間の距離が静電気力によって変化する複数のファブリペロー干渉フィルタ部が構成されたウェハ１００を用意するステップと、各ファブリペロー干渉フィルタ部の電気的特性を検査するステップと、を備える。【選択図】図１４
2019095668.tif 000002
【特許請求の範囲】
【請求項１】
基板層と、前記基板層上に二次元に配置された複数対の第１ミラー部及び第２ミラー部と、を備えるウェハであって、互いに対向する前記第１ミラー部と前記第２ミラー部との間に空隙が形成されることで、互いに対向する前記第１ミラー部と前記第２ミラー部との間の距離が静電気力によって変化する複数のファブリペロー干渉フィルタ部が構成されたウェハを用意するステップと、
前記複数のファブリペロー干渉フィルタ部のそれぞれの電気的特性を検査するステップと、を備える、電気的検査方法。
【請求項２】
前記電気的特性を検査するステップにおいては、前記静電気力を発生させるために前記複数のファブリペロー干渉フィルタ部のそれぞれに設けられた一対の端子間において容量を測定する、請求項１に記載の電気的検査方法。
【請求項３】
前記電気的特性を検査するステップにおいては、前記静電気力を発生させるために前記複数のファブリペロー干渉フィルタ部のそれぞれに設けられた一対の端子間に電圧を印加してリーク電流を測定する、請求項１又は２に記載の電気的検査方法。
【請求項４】
前記ウェハを撮像するステップを更に備える、請求項１〜３のいずれか一項に記載の電気的検査方法。
【発明の詳細な説明】
【技術分野】
【０００１】
本発明は、ファブリペロー干渉フィルタを得るための電気的検査方法に関する。
【背景技術】
【０００２】
従来のファブリペロー干渉フィルタとして、基板と、基板上において空隙を介して互いに対向する固定ミラー及び可動ミラーと、を備えるものが知られている（例えば、特許文献１参照）。
【先行技術文献】
【特許文献】
【０００３】
【特許文献１】特表２０１３−５０６１５４号公報
【発明の概要】
【発明が解決しようとする課題】
【０００４】
上述したようなファブリペロー干渉フィルタは、微細な構造体であるため、ファブリペロー干渉フィルタを製造するに際し、製造効率及び歩留まりの両方を向上させることは困難である。
【０００５】
そこで、本発明は、複数のファブリペロー干渉フィルタを効率良く且つ歩留まり良く得ることを可能にする電気的検査方法を提供することを目的とする。
【課題を解決するための手段】
【０００６】
本発明の電気的検査方法は、基板層と、基板層上に二次元に配置された複数対の第１ミラー部及び第２ミラー部と、を備えるウェハであって、互いに対向する第１ミラー部と第２ミラー部との間に空隙が形成されることで、互いに対向する第１ミラー部と第２ミラー部との間の距離が静電気力によって変化する複数のファブリペロー干渉フィルタ部が構成されたウェハを用意するステップと、複数のファブリペロー干渉フィルタ部のそれぞれの電気的特性を検査するステップと、を備える。
【０００７】
この電気的検査方法では、複数のファブリペロー干渉フィルタになる複数のファブリペロー干渉フィルタ部について、ウェハの状態で電気的特性の検査が実施される。したがって、この電気的検査方法は、複数のファブリペロー干渉フィルタを効率良く且つ歩留まり良く得ることを可能にする。その理由は、次のとおりである。ファブリペロー干渉フィルタは、ウェハから切り出されて例えば光検出装置にアッセンブリされるまでの各工程を経る間に、特性が変化し易い素子である。そのため、最終段階のアッセンブリの際にファブリペロー干渉フィルタの特性を検査する必要があると考えられる。しかし、ウェハの状態で良品であったファブリペロー干渉フィルタ部は、その後に特性が変化しても、不良品のファブリペロー干渉フィルタにはなり難いことが、本発明者らによって見出された。そこで、ウェハの状態で各ファブリペロー干渉フィルタ部の電気的特性を検査することで、ウェハの状態で不良品であったファブリペロー干渉フィルタが最終段階のアッセンブリに至るような無駄を初期段階で排除しつつ、良品のファブリペロー干渉フィルタが最終段階のアッセンブリに至る確率を向上させることができる。
【０００８】
しかも、この電気的検査方法によれば、各ファブリペロー干渉フィルタ部の電気的特性を効率良く且つ精度良く検査することができる。その理由は、次のとおりである。例えば、個々のファブリペロー干渉フィルタについて電気的特性の検査を実施しようとすると、例えば、ファブリペロー干渉フィルタの一対の端子に一対のプローブ針を確実に接触させるために、ファブリペロー干渉フィルタごとに支持角度を調整する必要が生じる。ウェハの状態で各ファブリペロー干渉フィルタ部の電気的特性を検査することで、そのような調整の負担を減少させることができる。また、ファブリペロー干渉フィルタでは、電気的特性が温度等の環境条件によっても変化する。そのため、個々のファブリペロー干渉フィルタについて電気的特性の検査を実施すると、検査結果の前提となる環境条件がファブリペロー干渉フィルタ間で異なり易くなる。ウェハの状態で各ファブリペロー干渉フィルタ部の電気的特性を検査することで、安定した環境条件で検査結果を得ることができる。
【０００９】
本発明の電気的検査方法では、電気的特性を検査するステップにおいては、静電気力を発生させるために複数のファブリペロー干渉フィルタ部のそれぞれに設けられた一対の端子間において容量を測定してもよい。これにより、各ファブリペロー干渉フィルタ部について、第２ミラー部の破損の有無、各ファブリペロー干渉フィルタ部に設けられた配線の断線の有無等を検査することができる。
【００１０】
本発明の電気的検査方法では、電気的特性を検査するステップにおいては、静電気力を発生させるために複数のファブリペロー干渉フィルタ部のそれぞれに設けられた一対の端子間に電圧を印加してリーク電流を測定してもよい。これにより、各ファブリペロー干渉フィルタ部について、互いに対向する第１ミラー部と第２ミラー部との間に形成された空隙への異物の混入の有無、各ファブリペロー干渉フィルタ部に設けられた配線の断線の有無等を検査することができる。
【００１１】
本発明の電気的検査方法は、ウェハを撮像するステップを更に備えてもよい。これにより、各ファブリペロー干渉フィルタ部の座標情報を取得し、取得した座標情報に基づいて、例えば、各ファブリペロー干渉フィルタ部の一対の端子に一対のプローブ針を接触させることができる。
【発明の効果】
【００１２】
本発明によれば、複数のファブリペロー干渉フィルタを効率良く且つ歩留まり良く得ることを可能にする電気的検査方法を提供することが可能となる。
【図面の簡単な説明】
【００１３】
【図１】一実施形態の電気的検査方法の検査対象であるウェハから切り出されたファブリペロー干渉フィルタの平面図である。
【図２】図１に示されるファブリペロー干渉フィルタの底面図である。
【図３】図１に示されるIII−III線に沿ってのファブリペロー干渉フィルタの断面図である。
【図４】一実施形態の電気的検査方法の検査対象であるウェハから切り出されたダミーフィルタの断面図である。
【図５】一実施形態の電気的検査方法の検査対象であるウェハの平面図である。
【図６】図５に示されるウェハの一部の拡大平面図である。
【図７】図５に示されるウェハのファブリペロー干渉フィルタ部及びダミーフィルタ部の断面図である。
【図８】図５に示されるウェハの製造方法を説明するための断面図である。
【図９】図５に示されるウェハの製造方法を説明するための断面図である。
【図１０】図５に示されるウェハの製造方法を説明するための断面図である。
【図１１】図５に示されるウェハの製造方法を説明するための断面図である。
【図１２】図５に示されるウェハの製造方法を説明するための断面図である。
【図１３】図５に示されるウェハの製造方法を説明するための断面図である。
【図１４】一実施形態の電気的検査方法が実施される電気的検査装置の構成図である。
【図１５】一実施形態の電気的検査方法が実施される電気的検査装置の変形例の構成図である。
【図１６】図５に示されるウェハからファブリペロー干渉フィルタを切り出す方法を説明するための断面図である。
【図１７】図５に示されるウェハからファブリペロー干渉フィルタを切り出す方法を説明するための断面図である。
【図１８】ファブリペロー干渉フィルタを備える光検出装置の断面図である。
【図１９】変形例のウェハの断面図である。
【発明を実施するための形態】
【００１４】
以下、本発明の実施形態について、図面を参照して詳細に説明する。なお、各図において同一又は相当部分には同一符号を付し、重複する説明を省略する。
［ファブリペロー干渉フィルタ及びダミーフィルタの構成］
【００１５】
一実施形態の電気的検査方法の説明に先立って、その検査対象であるウェハから切り出されたファブリペロー干渉フィルタ及びダミーフィルタの構成について説明する。
【００１６】
図１、図２及び図３に示されるように、ファブリペロー干渉フィルタ１は、基板１１を備えている。基板１１は、互いに対向する第１表面１１ａ及び第２表面１１ｂを有している。第１表面１１ａには、反射防止層２１、第１積層体２２、中間層２３及び第２積層体２４が、この順序で積層されている。第１積層体２２と第２積層体２４との間には、枠状の中間層２３によって空隙（エアギャップ）Ｓが画定されている。
【００１７】
第１表面１１ａに垂直な方向から見た場合（平面視）における各部の形状及び位置関係は、次の通りである。基板１１の外縁は、例えば矩形状である。基板１１の外縁及び第２積層体２４の外縁は、互いに一致している。反射防止層２１の外縁、第１積層体２２の外縁及び中間層２３の外縁は、互いに一致している。基板１１は、中間層２３の外縁よりも空隙Ｓの中心に対して外側に位置する外縁部１１ｃを有している。外縁部１１ｃは、例えば、枠状であり、第１表面１１ａに垂直な方向から見た場合に中間層２３を囲んでいる。空隙Ｓは、例えば円形状である。
【００１８】
ファブリペロー干渉フィルタ１は、その中央部に画定された光透過領域１ａにおいて、所定の波長を有する光を透過させる。光透過領域１ａは、例えば円柱状の領域である。基板１１は、例えば、シリコン、石英又はガラス等からなる。基板１１がシリコンからなる場合には、反射防止層２１及び中間層２３は、例えば、酸化シリコンからなる。中間層２３の厚さは、例えば、数十ｎｍ〜数十μｍである。
【００１９】
第１積層体２２のうち光透過領域１ａに対応する部分は、第１ミラー部３１として機能する。第１ミラー部３１は、固定ミラーである。第１ミラー部３１は、反射防止層２１を介して第１表面１１ａに配置されている。第１積層体２２は、複数のポリシリコン層２５と複数の窒化シリコン層２６とが一層ずつ交互に積層されることで構成されている。ファブリペロー干渉フィルタ１では、ポリシリコン層２５ａ、窒化シリコン層２６ａ、ポリシリコン層２５ｂ、窒化シリコン層２６ｂ及びポリシリコン層２５ｃが、この順で反射防止層２１上に積層されている。第１ミラー部３１を構成するポリシリコン層２５及び窒化シリコン層２６のそれぞれの光学厚さは、中心透過波長の１／４の整数倍であることが好ましい。なお、第１ミラー部３１は、反射防止層２１を介することなく第１表面１１ａ上に直接に配置されてもよい。
【００２０】
第２積層体２４のうち光透過領域１ａに対応する部分は、第２ミラー部３２として機能する。第２ミラー部３２は、可動ミラーである。第２ミラー部３２は、第１ミラー部３１に対して基板１１とは反対側において空隙Ｓを介して第１ミラー部３１と対向している。第１ミラー部３１と第２ミラー部３２とが互いに対向する方向は、第１表面１１ａに垂直な方向に平行である。第２積層体２４は、反射防止層２１、第１積層体２２及び中間層２３を介して第１表面１１ａに配置されている。第２積層体２４は、複数のポリシリコン層２７と複数の窒化シリコン層２８とが一層ずつ交互に積層されることで構成されている。ファブリペロー干渉フィルタ１では、ポリシリコン層２７ａ、窒化シリコン層２８ａ、ポリシリコン層２７ｂ、窒化シリコン層２８ｂ及びポリシリコン層２７ｃが、この順で中間層２３上に積層されている。第２ミラー部３２を構成するポリシリコン層２７及び窒化シリコン層２８のそれぞれの光学厚さは、中心透過波長の１／４の整数倍であることが好ましい。
【００２１】
なお、第１積層体２２及び第２積層体２４では、窒化シリコン層の代わりに酸化シリコン層が用いられてもよい。また、第１積層体２２及び第２積層体２４を構成する各層の材料としては、酸化チタン、酸化タンタル、酸化ジルコニウム、フッ化マグネシウム、酸化アルミニウム、フッ化カルシウム、シリコン、ゲルマニウム、硫化亜鉛等が用いられてもよい。また、ここでは、第１ミラー部３１の空隙Ｓ側の表面（ポリシリコン層２５ｃの表面）と、第２ミラー部３２の空隙Ｓ側の表面（ポリシリコン層２７ａの表面）とは、空隙Ｓを介して直接的に対向している。ただし、第１ミラー部３１の空隙Ｓ側の表面、及び、第２ミラー部３２の空隙Ｓ側の表面に、（ミラーを構成しない）電極層、保護層等が形成されていてもよい。この場合、第１ミラー部３１と第２ミラー部３２とは、それらの層を間に介在させた状態において、空隙Ｓを介して互いに対向することになる。換言すれば、このような場合であっても、第１ミラー部３１と第２ミラー部３２との空隙Ｓを介した対向は実現され得る。
【００２２】
第２積層体２４において空隙Ｓに対応する部分（第１表面１１ａに垂直な方向から見た場合に空隙Ｓと重なる部分）には、複数の貫通孔２４ｂが形成されている。各貫通孔２４ｂは、第２積層体２４の中間層２３とは反対側の表面２４ａから空隙Ｓに至っている。複数の貫通孔２４ｂは、第２ミラー部３２の機能に実質的に影響を与えない程度に形成されている。複数の貫通孔２４ｂは、エッチングによって中間層２３の一部を除去して空隙Ｓを形成するために用いられる。
【００２３】
第２積層体２４は、第２ミラー部３２に加えて、被覆部３３と、周縁部３４と、を更に有している。第２ミラー部３２、被覆部３３及び周縁部３４は、互いに同じ積層構造の一部を有し且つ互いに連続するように、一体的に形成されている。被覆部３３は、第１表面１１ａに垂直な方向から見た場合に第２ミラー部３２を囲んでいる。被覆部３３は、中間層２３の基板１１とは反対側の表面２３ａ、並びに、中間層２３の側面２３ｂ（外側の側面、つまり、空隙Ｓ側とは反対側の側面）、第１積層体２２の側面２２ａ及び反射防止層２１の側面２１ａを被覆しており、第１表面１１ａに至っている。すなわち、被覆部３３は、中間層２３の外縁、第１積層体２２の外縁及び反射防止層２１の外縁を被覆している。
【００２４】
周縁部３４は、第１表面１１ａに垂直な方向から見た場合に被覆部３３を囲んでいる。周縁部３４は、外縁部１１ｃにおける第１表面１１ａ上に位置している。周縁部３４の外縁は、第１表面１１ａに垂直な方向から見た場合に基板１１の外縁と一致している。周縁部３４は、外縁部１１ｃの外縁に沿って薄化されている。すなわち、周縁部３４のうち外縁部１１ｃの外縁に沿う部分は、周縁部３４のうち外縁に沿う部分を除く他の部分と比べて薄くなっている。ファブリペロー干渉フィルタ１では、周縁部３４は、第２積層体２４を構成するポリシリコン層２７及び窒化シリコン層２８の一部が除去されていることで薄化されている。周縁部３４は、被覆部３３に連続する非薄化部３４ａと、非薄化部３４ａを囲む薄化部３４ｂと、を有している。薄化部３４ｂにおいては、第１表面１１ａ上に直接に設けられたポリシリコン層２７ａ以外のポリシリコン層２７及び窒化シリコン層２８が除去されている。
【００２５】
第１表面１１ａから非薄化部３４ａの基板１１とは反対側の表面３４ｃまでの高さは、第１表面１１ａから中間層２３の表面２３ａまでの高さよりも低い。第１表面１１ａから非薄化部３４ａの表面３４ｃまでの高さは、例えば１００ｎｍ〜５０００ｎｍである。第１表面１１ａから中間層２３の表面２３ａまでの高さは、例えば５００ｎｍ〜２００００ｎｍである。薄化部３４ｂの幅（第１表面１１ａに垂直な方向から見た場合における非薄化部３４ａの外縁と外縁部１１ｃの外縁との間の距離）は、基板１１の厚さの０．０１倍以上である。薄化部３４ｂの幅は、例えば５μｍ〜４００μｍである。基板１１の厚さは、例えば５００μｍ〜８００μｍである。
【００２６】
第１ミラー部３１には、第１表面１１ａに垂直な方向から見た場合に光透過領域１ａを囲むように第１電極１２が形成されている。第１電極１２は、ポリシリコン層２５ｃに不純物をドープして低抵抗化することで形成されている。第１ミラー部３１には、第１表面１１ａに垂直な方向から見た場合に光透過領域１ａを含むように第２電極１３が形成されている。第２電極１３は、ポリシリコン層２５ｃに不純物をドープして低抵抗化することで形成されている。第１表面１１ａに垂直な方向から見た場合に、第２電極１３の大きさは、光透過領域１ａの全体を含む大きさであることが好ましいが、光透過領域１ａの大きさと略同一であってもよい。
【００２７】
第２ミラー部３２には、第３電極１４が形成されている。第３電極１４は、空隙Ｓを介して第１電極１２及び第２電極１３と対向している。第３電極１４は、ポリシリコン層２７ａに不純物をドープして低抵抗化することで形成されている。
【００２８】
一対の端子１５は、光透過領域１ａを挟んで対向するように設けられている。各端子１５は、第２積層体２４の表面２４ａから第１積層体２２に至る貫通孔内に配置されている。各端子１５は、配線１２ａを介して第１電極１２と電気的に接続されている。各端子１５は、例えば、アルミニウム又はその合金等の金属膜によって形成されている。
【００２９】
一対の端子１６は、光透過領域１ａを挟んで対向するように設けられている。各端子１６は、第２積層体２４の表面２４ａから第１積層体２２に至る貫通孔内に配置されている。各端子１６は、配線１３ａを介して第２電極１３と電気的に接続されていると共に、配線１４ａを介して第３電極１４と電気的に接続されている。端子１６は、例えば、アルミニウム又はその合金等の金属膜によって形成されている。一対の端子１５が対向する方向と一対の端子１６が対向する方向とは、直交している（図１参照）。
【００３０】
第１積層体２２の表面２２ｂには、複数のトレンチ１７，１８が設けられている。トレンチ１７は、配線１３ａにおける端子１６との接続部分を囲むように環状に延在している。トレンチ１７は、第１電極１２と配線１３ａとを電気的に絶縁している。トレンチ１８は、第１電極１２の内縁に沿って環状に延在している。トレンチ１８は、第１電極１２と第１電極１２の内側の領域（第２電極１３）とを電気的に絶縁している。各トレンチ１７，１８内の領域は、絶縁材料であっても、空隙であってもよい。
【００３１】
第２積層体２４の表面２４ａには、トレンチ１９が設けられている。トレンチ１９は、端子１５を囲むように環状に延在している。トレンチ１９は、端子１５と第３電極１４とを電気的に絶縁している。トレンチ１９内の領域は、絶縁材料であっても、空隙であってもよい。
【００３２】
基板１１の第２表面１１ｂには、反射防止層４１、第３積層体４２、中間層４３及び第４積層体４４が、この順序で積層されている。反射防止層４１及び中間層４３は、それぞれ、反射防止層２１及び中間層２３と同様の構成を有している。第３積層体４２及び第４積層体４４は、それぞれ、基板１１を基準として第１積層体２２及び第２積層体２４と対称の積層構造を有している。反射防止層４１、第３積層体４２、中間層４３及び第４積層体４４は、基板１１の反りを抑制する機能を有している。
【００３３】
第３積層体４２、中間層４３及び第４積層体４４は、外縁部１１ｃの外縁に沿って薄化されている。すなわち、第３積層体４２、中間層４３及び第４積層体４４のうち外縁部１１ｃの外縁に沿う部分は、第３積層体４２、中間層４３及び第４積層体４４のうち外縁に沿う部分を除く他の部分と比べて薄くなっている。ファブリペロー干渉フィルタ１では、第３積層体４２、中間層４３及び第４積層体４４は、第１表面１１ａに垂直な方向から見た場合に薄化部３４ｂと重なる部分において第３積層体４２、中間層４３及び第４積層体４４の全部が除去されていることで薄化されている。
【００３４】
第３積層体４２、中間層４３及び第４積層体４４には、第１表面１１ａに垂直な方向から見た場合に光透過領域１ａを含むように開口４０ａが設けられている。開口４０ａは、光透過領域１ａの大きさと略同一の径を有している。開口４０ａは、光出射側に開口している。開口４０ａの底面は、反射防止層４１に至っている。
【００３５】
第４積層体４４の光出射側の表面には、遮光層４５が形成されている。遮光層４５は、例えばアルミニウム等からなる。遮光層４５の表面及び開口４０ａの内面には、保護層４６が形成されている。保護層４６は、第３積層体４２、中間層４３、第４積層体４４及び遮光層４５の外縁を被覆すると共に、外縁部１１ｃ上の反射防止層４１を被覆している。保護層４６は、例えば酸化アルミニウムからなる。なお、保護層４６の厚さを１〜１００ｎｍ（好ましくは、３０ｎｍ程度）にすることで、保護層４６による光学的な影響を無視することができる。
【００３６】
以上のように構成されたファブリペロー干渉フィルタ１においては、一対の端子１５，１６を介して第１電極１２と第３電極１４との間に電圧が印加されると、当該電圧に応じた静電気力が第１電極１２と第３電極１４との間に発生する。当該静電気力によって、第２ミラー部３２が、基板１１に固定された第１ミラー部３１側に引き付けられ、第１ミラー部３１と第２ミラー部３２との間の距離が調整される。このように、ファブリペロー干渉フィルタ１では、第１ミラー部３１と第２ミラー部３２との間の距離が静電気力によって変化する。
【００３７】
ファブリペロー干渉フィルタ１を透過する光の波長は、光透過領域１ａにおける第１ミラー部３１と第２ミラー部３２との間の距離に依存する。したがって、第１電極１２と第３電極１４との間に印加する電圧を調整することで、透過する光の波長を適宜選択することができる。このとき、第２電極１３は、第３電極１４と同電位である。したがって、第２電極１３は、光透過領域１ａにおいて第１ミラー部３１及び第２ミラー部３２を平坦に保つための補償電極として機能する。
【００３８】
ファブリペロー干渉フィルタ１では、例えば、ファブリペロー干渉フィルタ１に印加する電圧を変化させながら（すなわち、ファブリペロー干渉フィルタ１において第１ミラー部３１と第２ミラー部３２との間の距離を変化させながら）、ファブリペロー干渉フィルタ１の光透過領域１ａを透過した光を光検出器によって検出することで、分光スペクトルを得ることができる。
【００３９】
図４に示されるように、ダミーフィルタ２は、第２積層体２４に複数の貫通孔２４ｂが形成されていない点、及び中間層２３に空隙Ｓが形成されていない点で、上述したファブリペロー干渉フィルタ１と相違している。ダミーフィルタ２では、第１ミラー部３１と第２ミラー部３２との間に中間層２３が設けられている。つまり、第２ミラー部３２は、空隙Ｓ上に浮いておらず、中間層２３の表面２３ａに配置されている。
［ウェハの構成］
【００４０】
次に、一実施形態の電気的検査方法の検査対象であるウェハの構成について説明する。図５及び図６に示されるように、ウェハ１００は、基板層１１０を備えている。基板層１１０は、例えば、円板状の形状を呈しており、その一部にオリエンテーションフラットＯＦが形成されている。基板層１１０は、例えば、シリコン、石英又はガラス等からなる。以下、基板層１１０の厚さ方向から見た場合に基板層１１０の中心を通り且つオリエンテーションフラットＯＦに平行な仮想直線を第１直線３といい、基板層１１０の厚さ方向から見た場合に基板層１１０の中心を通り且つオリエンテーションフラットＯＦに垂直な仮想直線を第２直線４という。
【００４１】
ウェハ１００には、有効エリア１０１及びダミーエリア１０２が設けられている。ダミーエリア１０２は、基板層１１０の外縁１１０ｃ（すなわち、ウェハ１００の外縁１００ａ）に沿ったエリアである。有効エリア１０１は、ダミーエリア１０２の内側のエリアである。ダミーエリア１０２は、基板層１１０の厚さ方向から見た場合に有効エリア１０１を囲んでいる。ダミーエリア１０２は、有効エリア１０１に隣接している。
【００４２】
有効エリア１０１には、二次元に配置された複数のファブリペロー干渉フィルタ部１Ａが設けられている。複数のファブリペロー干渉フィルタ部１Ａは、有効エリア１０１の全体に設けられている。ダミーエリア１０２には、二次元に配置された複数のダミーフィルタ部２Ａが設けられている。複数のダミーフィルタ部２Ａは、ダミーエリア１０２のうち一対のエリア１０２ａを除くエリアに設けられている。一方のエリア１０２ａは、オリエンテーションフラットＯＦに沿ったエリアである。他方のエリア１０２ａは、基板層１１０の外縁１１０ｃのうちオリエンテーションフラットＯＦとは反対側の部分に沿ったエリアである。有効エリア１０１とダミーエリア１０２との境界部分において、ファブリペロー干渉フィルタ部１Ａとダミーフィルタ部２Ａとは、隣接している。基板層１１０の厚さ方向から見た場合に、ファブリペロー干渉フィルタ部１Ａの外形とダミーフィルタ部２Ａの外形とは、同一である。複数のファブリペロー干渉フィルタ部１Ａ及び複数のダミーフィルタ部２Ａは、互いに直交する第１直線３及び第２直線４のそれぞれについて対称となるように、配置されている。なお、複数のダミーフィルタ部２Ａは、ダミーエリア１０２の全体に設けられていてもよい。また、複数のダミーフィルタ部２Ａは、ダミーエリア１０２のうちいずれか一方のエリア１０２ａを除くエリアに設けられていてもよい。
【００４３】
複数のファブリペロー干渉フィルタ部１Ａは、ウェハ１００が各ライン５に沿って切断されることで、複数のファブリペロー干渉フィルタ１になる予定の部分である。複数のダミーフィルタ部２Ａは、ウェハ１００が各ライン５に沿って切断されることで、複数のダミーフィルタ２になる予定の部分である。基板層１１０の厚さ方向から見た場合に、複数のライン５は、オリエンテーションフラットＯＦに平行な方向に沿うように延在しており、複数のライン５は、オリエンテーションフラットＯＦに垂直な方向に沿うように延在している。一例として、基板層１１０の厚さ方向から見た場合に各フィルタ部１Ａ，２Ａが矩形状を呈するときには、各フィルタ部１Ａ，２Ａは、二次元マトリックス状に配置され、複数のライン５は、隣り合うフィルタ部１Ａ，１Ａ間、隣り合うフィルタ部１Ａ，２Ａ間、及び隣り合うフィルタ部２Ａ，２Ａ間を通るように格子状に設定される。
【００４４】
図７の（ａ）は、ファブリペロー干渉フィルタ部１Ａの断面図であり、図７の（ｂ）は、ダミーフィルタ部２Ａの断面図である。図７の（ａ）及び（ｂ）に示されるように、基板層１１０は、ウェハ１００が各ライン５に沿って切断されることで、複数の基板１１になる予定の層である。基板層１１０は、互いに対向する第１表面１１０ａ及び第２表面１１０ｂを有している。基板層１１０の第１表面１１０ａには、反射防止層２１０が設けられている。反射防止層２１０は、ウェハ１００が各ライン５に沿って切断されることで、複数の反射防止層２１になる予定の層である。基板層１１０の第２表面１１０ｂには、反射防止層４１０が設けられている。反射防止層４１０は、ウェハ１００が各ライン５に沿って切断されることで、複数の反射防止層４１になる予定の層である。
【００４５】
反射防止層２１０上には、デバイス層２００が設けられている。デバイス層２００は、第１ミラー層２２０と、中間層２３０と、第２ミラー層２４０と、を有している。第１ミラー層２２０は、複数の第１ミラー部３１を有する層であって、ウェハ１００が各ライン５に沿って切断されることで、複数の第１積層体２２になる予定の層である。複数の第１ミラー部３１は、反射防止層２１０を介して基板層１１０の第１表面１１０ａに二次元に配置されている。中間層２３０は、ウェハ１００が各ライン５に沿って切断されることで、複数の中間層２３になる予定の層である。第２ミラー層２４０は、複数の第２ミラー部３２を有する層であって、ウェハ１００が各ライン５に沿って切断されることで、複数の第２積層体２４になる予定の層である。複数の第２ミラー部３２は、中間層２３を介して第１ミラー層２２０上に二次元に配置されている。
【００４６】
反射防止層４１０上には、応力調整層４００が設けられている。つまり、応力調整層４００は、反射防止層４１０を介して基板層１１０の第２表面１１０ｂに設けられている。応力調整層４００は、複数の層４２０，４３０，４４０を有している。層４２０は、ウェハ１００が各ライン５に沿って切断されることで、複数の第３積層体４２になる予定の層である。層４３０は、ウェハ１００が各ライン５に沿って切断されることで、複数の中間層４３になる予定の層である。層４４０は、ウェハ１００が各ライン５に沿って切断されることで、複数の第４積層体４４になる予定の層である。
【００４７】
応力調整層４００上には、遮光層４５０及び保護層４６０が設けられている。遮光層４５０は、ウェハ１００が各ライン５に沿って切断されることで、複数の遮光層４５になる予定の層である。保護層４６０は、ウェハ１００が各ライン５に沿って切断されることで、複数の保護層４６になる予定の層である。
【００４８】
図７の（ａ）に示されるように、各ファブリペロー干渉フィルタ部１Ａでは、互いに対向する第１ミラー部３１と第２ミラー部３２との間に空隙Ｓが形成されている。つまり、各ファブリペロー干渉フィルタ部１Ａでは、中間層２３が空隙Ｓを画定しており、第２ミラー部３２が空隙Ｓ上に浮いている。各ファブリペロー干渉フィルタ部１Ａには、上述したファブリペロー干渉フィルタ１の構成と同様に、第１電極１２、第２電極１３、第３電極１４、複数の端子１５，１６、及び開口４０ａ等に関する構成が設けられている。したがって、複数のファブリペロー干渉フィルタ部１Ａがウェハ１００の状態のままであっても、一対の端子１５，１６を介して各ファブリペロー干渉フィルタ部１Ａに電圧が印加されると、互いに対向する第１ミラー部３１と第２ミラー部３２との間の距離が静電気力によって変化する。
【００４９】
図７の（ｂ）に示されるように、各ダミーフィルタ部２Ａでは、互いに対向する第１ミラー部３１と第２ミラー部３２との間に中間層２３が設けられる。つまり、ダミーフィルタ部２Ａでは、中間層２３が空隙Ｓを画定しておらず、第２ミラー部３２が中間層２３の表面２３ａに配置されている。したがって、各ダミーフィルタ部２Ａには、上述したダミーフィルタ２の構成と同様に、第１電極１２、第２電極１３、第３電極１４、複数の端子１５，１６、及び開口４０ａ等に関する構成が設けられているものの、互いに対向する第１ミラー部３１と第２ミラー部３２との間の距離は変化しない。なお、各ダミーフィルタ部２Ａには、第１電極１２、第２電極１３、第３電極１４、複数の端子１５，１６（各端子１５，１６を構成するアルミニウム等の金属膜、各端子１５，１６を配置するための貫通孔等）及び開口４０ａ等に関する構成が設けられていなくてもよい。
【００５０】
図６及び図７の（ａ）に示されるように、デバイス層２００には、基板層１１０とは反対側に開口する第１溝２９０が形成されている。第１溝２９０は、各ライン５に沿って形成されている。第１溝２９０は、各ファブリペロー干渉フィルタ部１Ａ及び各ダミーフィルタ部２Ａにおいて、第１ミラー部３１、中間層２３及び第２ミラー部３２を囲んでいる。各ファブリペロー干渉フィルタ部１Ａにおいて、第１ミラー部３１、中間層２３及び第２ミラー部３２は、環状に連続する第１溝２９０によって囲まれている。同様に、各ダミーフィルタ部２Ａにおいて、第１ミラー部３１、中間層２３及び第２ミラー部３２は、環状に連続する第１溝２９０によって囲まれている。隣り合うフィルタ部１Ａ，１Ａ、隣り合うフィルタ部１Ａ，２Ａ、及び隣り合うフィルタ部２Ａ，２Ａに着目すると、第１溝２９０は、一方のフィルタ部の周縁部３４及び他方のフィルタ部の周縁部３４上の領域に対応している。第１溝２９０は、有効エリア１０１及びダミーエリア１０２において繋がっており、第１ミラー部３１と第２ミラー部３２とが互いに対向する方向（以下、単に「対向方向」という）から見た場合に基板層１１０の外縁１１０ｃに至っている。なお、第１溝２９０は、各ファブリペロー干渉フィルタ部１Ａ及び各ダミーフィルタ部２Ａにおいて、少なくとも第２ミラー部３２を囲んでいればよい。
【００５１】
図７の（ｂ）に示されるように、応力調整層４００には、基板層１１０とは反対側に開口する第２溝４７０が形成されている。第２溝４７０は、各ライン５に沿って形成されている。つまり、第２溝４７０は、第１溝２９０に対応するように形成されている。ここで、第２溝４７０が第１溝２９０に対応するとは、対向方向から見た場合に第２溝４７０が第１溝２９０と重なること意味する。したがって、第２溝４７０は、有効エリア１０１及びダミーエリア１０２において繋がっており、対向方向から見た場合に基板層１１０の外縁１１０ｃに至っている。
［ウェハの製造方法］
【００５２】
次に、ウェハ１００の製造方法について、図８〜図１３を参照して説明する。図８〜図１３において、（ａ）は、ファブリペロー干渉フィルタ部１Ａに対応する部分の断面図であり、（ｂ）は、ダミーフィルタ部２Ａに対応する部分の断面図である。
【００５３】
まず、図８に示されるように、基板層１１０の第１表面１１０ａに反射防止層２１０を形成すると共に、基板層１１０の第２表面１１０ｂに反射防止層４１０を形成する。続いて、各反射防止層２１０，４１０上に、複数のポリシリコン層及び複数の窒化シリコン層を交互に積層することで、反射防止層２１０上に第１ミラー層２２０を形成すると共に、反射防止層４１０上に層４２０を形成する。
【００５４】
第１ミラー層２２０を形成する際には、エッチングによって、反射防止層２１０の表面が露出するように、第１ミラー層２２０のうち各ライン５に沿った部分を除去する。また、不純物ドープによって、第１ミラー層２２０における所定のポリシリコン層を部分的に低抵抗化することで、基板１１に対応する部分ごとに、第１電極１２、第２電極１３及び配線１２ａ，１３ａを形成する。更に、エッチングによって、基板１１に対応する部分ごとに、第１ミラー層２２０の表面にトレンチ１７，１８を形成する。
【００５５】
続いて、図９に示されるように、第１ミラー層２２０上、及び露出した反射防止層２１０の表面に、中間層２３０を形成すると共に、層４２０上に層４３０を形成する。各ファブリペロー干渉フィルタ部１Ａに対応する部分では、中間層２３０は、空隙Ｓ（図３参照）に対応する除去予定部５０を含んでいる。続いて、エッチングによって、基板層１１０の第１表面１１０ａが露出するように、中間層２３０及び反射防止層２１０のうち各ライン５に沿った部分を除去する。また、当該エッチングによって、基板１１に対応する部分ごとに、中間層２３０のうち各端子１５，１６（図３参照）に対応する部分に空隙を形成する。
【００５６】
続いて、図１０に示されるように、基板層１１０の第１表面１１０ａ側及び第２表面１１０ｂ側のそれぞれにおいて、複数のポリシリコン層及び複数の窒化シリコン層を交互に積層することで、中間層２３０上、及び露出した基板層１１０の第１表面１１０ａに、第２ミラー層２４０を形成すると共に、層４３０上に層４４０を形成する。
【００５７】
第２ミラー層２４０を形成する際には、ライン５に沿って互いに対向する中間層２３０の側面２３０ａ、第１ミラー層２２０の側面２２０ａ及び反射防止層２１０の側面２１０ａを、第２ミラー層２４０で被覆する。また、不純物ドープによって、第２ミラー層２４０における所定のポリシリコン層を部分的に低抵抗化することで、基板１１に対応する部分ごとに、第３電極１４及び配線１４ａを形成する。
【００５８】
続いて、図１１に示されるように、エッチングによって、第２ミラー層２４０が含むポリシリコン層２７ａ（図３参照）（すなわち、最も第１表面１１０ａ側に位置するポリシリコン層）の表面が露出するように、第２ミラー層２４０のうち各ライン５に沿った部分を薄化する。また、当該エッチングによって、基板１１に対応する部分ごとに、第２ミラー層２４０のうち各端子１５，１６（図３参照）に対応する部分に空隙を形成する。続いて、基板１１に対応する部分ごとに、当該空隙に各端子１５，１６を形成し、各端子１５と配線１２ａとを接続すると共に、各端子１６と配線１３ａ及び配線１４ａのそれぞれとを接続する。
【００５９】
ここまでで、基板層１１０の第１表面１１０ａに、反射防止層２１０及びデバイス層２００が形成されると共に、デバイス層２００に第１溝２９０が形成される。第１溝２９０は、デバイス層２００が各ライン５に沿って部分的に薄化された領域である。
【００６０】
続いて、図１２の（ａ）に示されるように、各ファブリペロー干渉フィルタ部１Ａに対応する部分では、エッチングによって、第２積層体２４の表面２４ａから除去予定部５０に至る複数の貫通孔２４ｂを第２積層体２４に形成する。このとき、図１２の（ｂ）に示されるように、各ダミーフィルタ部２Ａに対応する部分では、複数の貫通孔２４ｂを第２積層体２４に形成しない。続いて、図１２に示されるように、層４４０上に遮光層４５０を形成する。続いて、エッチングによって、反射防止層４１０の表面が露出するように、遮光層４５０及び応力調整層４００（すなわち、層４２０，４３０，４４０）のうち各ライン５に沿った部分を除去する。また、当該エッチングによって、基板１１に対応する部分ごとに、開口４０ａを形成する。続いて、遮光層４５０上、露出した反射防止層４１０の表面、及び開口４０ａの内面、第２溝４７０に臨む応力調整層４００の側面に、保護層４６０を形成する。
【００６１】
ここまでで、基板層１１０の第２表面１１０ｂに、反射防止層４１０、応力調整層４００、遮光層４５０及び保護層４６０が形成されると共に、応力調整層４００に第２溝４７０が形成される。第２溝４７０は、応力調整層４００が各ライン５に沿って部分的に薄化された領域である。
【００６２】
続いて、図１３の（ａ）に示されるように、各ファブリペロー干渉フィルタ部１Ａに対応する部分では、複数の貫通孔２４ｂを介したエッチング（例えばフッ酸ガスを用いた気相エッチング）によって、中間層２３０から複数の除去予定部５０を一斉に除去する。これにより、各ファブリペロー干渉フィルタ部１Ａに対応する部分では、基板１１に対応する部分ごとに、空隙Ｓを形成する。このとき、図１３の（ｂ）に示されるように、各ダミーフィルタ部２Ａに対応する部分では、複数の貫通孔２４ｂが第２積層体２４に形成されていないため、中間層２３０に空隙Ｓが形成されない。
【００６３】
以上により、有効エリア１０１においては、図７の（ａ）に示されるように、互いに対向する第１ミラー部３１と第２ミラー部３２との間に空隙Ｓが形成されることで、複数のファブリペロー干渉フィルタ部１Ａが構成される。一方、ダミーエリア１０２においては、図７の（ｂ）に示されるように、互いに対向する第１ミラー部３１と第２ミラー部３２との間に中間層２３が設けられることで、複数のダミーフィルタ部２Ａが構成される。
［電気的検査装置の構成］
【００６４】
次に、一実施形態の電気的検査方法が実施される電気的検査装置の構成について説明する。図１４に示されるように、電気的検査装置５００は、ウェハ支持部５１０と、電圧印加部５４０と、撮像部５５０と、測定部５７０と、を備えている。ウェハ支持部５１０、電圧印加部５４０及び撮像部５５０は、暗箱（図示省略）内に配置されている。電気的検査装置５００の検査対象は、ウェハ１００である。
【００６５】
ウェハ支持部５１０は、ウェハ１００の対向方向（すなわち、第１ミラー部３１と第２ミラー部３２とが互いに対向する方向）が基準線ＲＬに平行となるようにウェハ１００を支持する。ただし、ウェハ支持部５１０は、ウェハ１００の対向方向が基準線ＲＬに沿うようにウェハ１００を支持すればよい。つまり、ウェハ支持部５１０は、ウェハ１００の対向方向が基準線ＲＬに完全に平行となるようにウェハ１００を支持する必要はない。ウェハ支持部５１０は、ステージ５１１を有している。ステージ５１１は、基準線ＲＬに垂直な平面に沿って（少なくとも、当該平面に平行であり且つ互いに直交する２方向のそれぞれに沿って）移動可能に構成されている。なお、ステージ５１１は、基準線ＲＬに平行なラインを中心線として回転可能に構成されていてもよい。
【００６６】
電圧印加部５４０は、各ファブリペロー干渉フィルタ部１Ａに電圧を印加する。電圧印加部５４０は、ステージ５４１と、一対のアーム５４２と、一対のプローブ針５４３と、を有している。ステージ５４１は、基準線ＲＬに平行な方向に沿って移動可能に構成されている。一対のアーム５４２は、ステージ５４１に取り付けられている。一対のプローブ針５４３は、一対のアーム５４２に取り付けられている。一対のアーム５４２及び一対のプローブ針５４３は、マイクロマニピュレータとして構成されている。一対のプローブ針５４３の先端間の距離は、各ファブリペロー干渉フィルタ部１Ａにおける一対の端子１５，１６間の距離に調整されている。なお、ウェハ支持部５１０においてステージ５１１が基準線ＲＬに平行な方向に沿って移動可能に構成されている場合には、ステージ５４１は移動可能に構成されていなくてもよい。
【００６７】
撮像部５５０は、ウェハ支持部５１０によって支持されたウェハ１００（具体的には、ウェハ１００の表面）を撮像する。撮像部５５０は、カメラ５５１と、ズームレンズ５５２と、を有している。カメラ５５１は、観察用の光Ｌ０を出射し、ウェハ支持部５１０によって支持されたウェハ１００の表面で反射された光Ｌ０を検出し、得られた画像をディスプレイ（図示省略）に表示する。ズームレンズ５５２は、ウェハ１００の表面の像を拡大する機能を有している。カメラ５５１から出射された光Ｌ０は、ミラー５０５によって、基準線ＲＬ上を進行するように反射される。ミラー５０５によって反射された光Ｌ０は、基準線ＲＬ上を進行し、ウェハ支持部５１０によって支持されたウェハ１００の表面で反射される。ウェハ１００の表面で反射された光Ｌ０は、同一の光路上を逆に進行し、ズームレンズ５５２を介してカメラ５５１に入射する。なお、撮像部５５０は、基準線ＲＬ上に配置されていてもよい。その場合、ミラー５０５は、不要になる。
【００６８】
測定部５７０は、ＬＣＲメータ及びソースメジャーユニットの少なくとも１つとしての機能を有している。ここでは、測定部５７０は、ＬＣＲメータ及びソースメジャーユニットの両方としての機能を有しており、検査の目的によってその機能を切り替えることができる。
【００６９】
測定部５７０がＬＣＲメータとして機能する場合、測定部５７０は、一対のプローブ針５４３に電位差を生じさせずに、一対の端子１５，１６間において容量を測定する。測定部５７０は、一対のプローブ針５４３に電位差を生じさせ、一対の端子１５，１６間に電圧を印加して容量を測定することもできる。当該容量は、各ファブリペロー干渉フィルタ部１Ａにおいて第１電極１２と第３電極１４との間に生じる静電容量に相当する。当該容量を測定することで、第２ミラー部３２の破損の有無、配線１２ａ，１３ａ，１４ａの断線の有無等を検査することができる。また、一対の端子１５，１６間に印加する電圧の大きさを変化させ、各電圧において容量を測定することで、印加する電圧の大きさと容量との関係を取得することができる。当該容量は、互いに対向する第１ミラー部３１と第２ミラー部３２との距離、延いては、互いに対向する第１ミラー部３１及び第２ミラー部３２を透過する光の波長に対応するから、印加する電圧の大きさと容量との関係に基づいて、印加する電圧の大きさと透過する光の波長との関係を取得することも可能である。
【００７０】
測定部５７０がソースメジャーユニットとして機能する場合、測定部５７０は、一対のプローブ針５４３に電位差を生じさせ、一対の端子１５，１６間に電圧を印加してリーク電流を測定する。当該リーク電流は、各ファブリペロー干渉フィルタ部１Ａにおいて端子１５側（端子１５から配線１２ａを介して第１電極１２に至る電気的ルート）と端子１６側（端子１６から配線１３ａを介して第２電極１３に至る電気的ルート、及び端子１６から配線１４ａを介して第３電極１４に至る電気的ルート）との間に生じるリーク電流に相当する。当該リーク電流を測定することで、空隙Ｓへの異物の混入の有無、配線１２ａ，１３ａ，１４ａの断線の有無等を検査することができる。
【００７１】
以上のように構成された電気的検査装置５００では、制御部（図示省略）によって各部の動作が制御されることで、以下のように、電気的検査方法が実施される。まず、検査対象であるウェハ１００が用意され、ウェハ支持部５１０によって支持される。このとき、ウェハ１００は、対向方向が基準線ＲＬに沿うようにウェハ支持部５１０によって支持される。続いて、ウェハ支持部５１０によって支持されたウェハ１００が撮像部５５０によって撮像され、ウェハ１００の画像がディスプレイに表示される。そして、例えば、ディスプレイに表示されたウェハ１００の画像が目視され、所定の初期位置（所定の座標）からのウェハ１００（例えばウェハ１００の中心位置）のずれが補正される。これにより、制御部は、所定の初期位置からの相対的な位置として、ウェハ支持部５１０によって支持されたウェハ１００における各ファブリペロー干渉フィルタ部１Ａの座標情報を取得することができる。なお、撮像部５５０が制御部に接続され、制御部が、撮像部５５０から出力された撮像データに基づいて、ウェハ１００における各ファブリペロー干渉フィルタ部１Ａの座標情報を取得してもよい。
【００７２】
続いて、座標情報に基づいてウェハ支持部５１０のステージ５１１が動作させられ、１つのファブリペロー干渉フィルタ部１Ａが基準線ＲＬ上に位置させられる（以下、基準線ＲＬ上に位置させられた１つのファブリペロー干渉フィルタ部１Ａを単に「１つのファブリペロー干渉フィルタ部１Ａ」という）。続いて、電圧印加部５４０のステージ５４１が動作させられ、電圧印加部５４０の一対のプローブ針５４３が、１つのファブリペロー干渉フィルタ部１Ａの一対の端子１５，１６に接触させられる。続いて、測定部５７０が動作させられ、各ファブリペロー干渉フィルタ部１Ａの電気的特性が検査される。具体的には、一対の端子１５，１６間において容量が測定される。或いは、一対の端子１５，１６間に電圧が印加されてリーク電流が測定される。これにより、制御部は、測定部５７０から出力された測定結果に基づいて、１つのファブリペロー干渉フィルタ部１Ａについて、１つのファブリペロー干渉フィルタ部１Ａが良品であるか否かを判断することができる。
【００７３】
１つのファブリペロー干渉フィルタ部１Ａの検査が終了すると、電圧印加部５４０のステージ５４１が動作させられ、電圧印加部５４０の一対のプローブ針５４３が、１つのファブリペロー干渉フィルタ部１Ａの一対の端子１５，１６から離される。続いて、次の１つのファブリペロー干渉フィルタ部１Ａが基準線ＲＬ上に位置させられ、当該次の１つのファブリペロー干渉フィルタ部１Ａの検査が同様に実施される。以下同様に、各ファブリペロー干渉フィルタ部１Ａの検査が順次実施される。これにより、制御部は、ウェハ１００における各ファブリペロー干渉フィルタ部１Ａの座標情報に対応付けて、各ファブリペロー干渉フィルタ部１Ａに関する情報（検査結果）を記憶することができる。なお、事前の検査（目視検査等）で良品でないことが明らかとなっているファブリペロー干渉フィルタ部１Ａについては一対のプローブ針５４３を一対の端子１５，１６に接触させずに（電気的検査を省略し）、次の１つのファブリペロー干渉フィルタ部１Ａについて電気的検査を実施することで、検査効率を高めてもよい。また、１枚のウェハ１００における全てのファブリペロー干渉フィルタ部１Ａのうち、所定割合の数のファブリペロー干渉フィルタ部１Ａについて電気的検査を実施することで、当該１枚のウェハ１００として良品か否かを判断してもよい。つまり、ファブリペロー干渉フィルタ部１Ａについての電気的検査は、必ずしも、１枚のウェハ１００における全てのファブリペロー干渉フィルタ部１Ａについて実施しなくてもよい。
【００７４】
なお、図１５に示されるように、電圧印加部５４０にプローブカードが適用されてもよい。一例として、電圧印加部５４０は、支持部５４５と、プローブカード５４６と、一対のプローブ針５４３と、を有していてもよい。プローブカード５４６は、支持部５４５によって支持されている。一対のプローブ針５４３は、プローブカード５４６に設けられている。一対のプローブ針５４３の先端間の距離は、各ファブリペロー干渉フィルタ部１Ａにおける一対の端子１５，１６間の距離に調整されている。支持部５４５が固定されている場合には、ウェハ支持部５１０においてステージ５１１が基準線ＲＬに平行な方向に沿って移動可能に構成される。また、撮像部５５０が電圧印加部５４０の側方に配置されてもよい。その場合、ウェハ支持部５１０においてステージ５１１が基準線ＲＬに垂直な方向に沿って所定の距離だけ移動することで、ウェハ支持部５１０によって支持されたウェハ１００が撮像部５５０によって撮像される。
［ファブリペロー干渉フィルタの製造方法］
【００７５】
次に、ウェハ１００からファブリペロー干渉フィルタ１を切り出す方法（ファブリペロー干渉フィルタ１の製造方法）について、図１６及び図１７を参照して説明する。図１６及び図１７において、（ａ）は、ファブリペロー干渉フィルタ部１Ａに対応する部分の断面図であり、（ｂ）は、ダミーフィルタ部２Ａに対応する部分の断面図である。
【００７６】
まず、図１６に示されるように、保護層４６０上に（すなわち、第２表面１１０ｂ側に）エキスパンドテープ６０を貼り付ける。続いて、第２表面１１０ｂ側にエキスパンドテープ６０が貼り付けられた状態で、エキスパンドテープ６０とは反対側からレーザ光Ｌを照射し、レーザ光Ｌの集光点を基板層１１０の内部に位置させつつ、レーザ光Ｌの集光点を各ライン５に沿って相対的に移動させる。つまり、エキスパンドテープ６０とは反対側から、第１溝２９０において露出したポリシリコン層の表面を介して、基板層１１０にレーザ光Ｌを入射させる。
【００７７】
そして、このレーザ光Ｌの照射によって、各ライン５に沿って基板層１１０の内部に改質領域７を形成する。改質領域７は、密度、屈折率、機械的強度、その他の物理的特性が周囲とは異なる状態になった領域であって、基板層１１０の厚さ方向に伸展する亀裂の起点となる領域である。改質領域７としては、例えば、溶融処理領域（一旦溶融後再固化した領域、溶融状態中の領域及び溶融から再固化する状態中の領域のうち少なくとも何れか一つを意味する）、クラック領域、絶縁破壊領域、屈折率変化領域等があり、これらが混在した領域もある。更に、改質領域７としては、基板層１１０の材料において改質領域７の密度が非改質領域の密度と比較して変化した領域、格子欠陥が形成された領域等がある。基板層１１０の材料が単結晶シリコンである場合、改質領域７は、高転位密度領域ともいえる。なお、各ライン５に対して基板層１１０の厚さ方向に配列される改質領域７の列数は、基板層１１０の厚さによって適宜調整される。
【００７８】
続いて、図１７に示されるように、第２表面１１０ｂ側に貼り付けられたエキスパンドテープ６０を拡張させることで、基板層１１０の内部に形成された改質領域７から基板層１１０の厚さ方向に亀裂を伸展させ、各ライン５に沿って基板層１１０を複数の基板１１に切断する。このとき、第１溝２９０において第２ミラー層２４０のポリシリコン層が各ライン５に沿って切断されると共に、第２溝４７０において反射防止層４１０及び保護層４６０が各ライン５に沿って切断される。これにより、エキスパンドテープ６０上において互いに離間した状態にある複数のファブリペロー干渉フィルタ１及び複数のダミーフィルタ２を得る。
［光検出装置の構成］
【００７９】
次に、ファブリペロー干渉フィルタ１を備える光検出装置１０の構成について説明する。図１８に示されるように、光検出装置１０は、パッケージ７１を備えている。パッケージ７１は、ステム７２と、キャップ７３と、を有するＣＡＮパッケージである。キャップ７３は、側壁７４及び天壁７５によって一体的に構成されている。ステム７２及びキャップ７３は、金属材料によって形成されており、互いに気密に接合されている。金属材料によって形成されたパッケージ７１において、側壁７４の形状は、ライン９を中心線とする円筒状である。ステム７２及び天壁７５は、ライン９に平行な方向において互いに対向しており、側壁７４の両端をそれぞれ塞いでいる。
【００８０】
ステム７２の内面７２ａには、配線基板７６が固定されている。配線基板７６の基板材料としては、例えば、シリコン、セラミック、石英、ガラス、プラスチック等を用いることができる。配線基板７６には、光検出器（光検出部）７７、及びサーミスタ等の温度検出器（図示省略）が実装されている。光検出器７７は、ライン９上に配置されている。より具体的には、光検出器７７は、その受光部の中心線がライン９に一致するように配置されている。光検出器７７は、例えば、ＩｎＧａＡｓ等が用いられた量子型センサ、サーモパイル又はボロメータ等が用いられた熱型センサ等の赤外線検出器である。紫外、可視、近赤外の各波長域の光を検出する場合には、光検出器７７として、例えば、シリコンフォトダイオード等を用いることができる。なお、光検出器７７には、１つの受光部が設けられていてもよいし、或いは、複数の受光部がアレイ状に設けられていてもよい。更に、複数の光検出器７７が配線基板７６に実装されていてもよい。温度検出器は、ファブリペロー干渉フィルタ１の温度変化検出できるように、例えばファブリペロー干渉フィルタ１に近接した位置に配置されてもよい。
【００８１】
配線基板７６上には、複数のスペーサ７８が固定されている。各スペーサ７８の材料としては、例えば、シリコン、セラミック、石英、ガラス、プラスチック等を用いることができる。複数のスペーサ７８上には、ファブリペロー干渉フィルタ１が例えば接着剤によって固定されている。ファブリペロー干渉フィルタ１は、ライン９上に配置されている。より具体的には、ファブリペロー干渉フィルタ１は、光透過領域１ａの中心線がライン９に一致するように配置されている。なお、スペーサ７８は、配線基板７６に一体的に構成されていてもよい。また、ファブリペロー干渉フィルタ１は、複数のスペーサ７８によってではなく、１つのスペーサ７８によって支持されていてもよい。
【００８２】
ステム７２には、複数のリードピン８１が固定されている。より具体的には、各リードピン８１は、ステム７２との間の電気的な絶縁性及び気密性が維持された状態で、ステム７２を貫通している。各リードピン８１には、配線基板７６に設けられた電極パッド、光検出器７７の端子、温度検出器の端子、及びファブリペロー干渉フィルタ１の端子のそれぞれが、ワイヤ８２によって電気的に接続されている。なお、光検出器７７、温度検出器及びファブリペロー干渉フィルタ１は、配線基板７６を介して各リードピン８１に電気的に接続されていてもよい。例えば、それぞれの端子と配線基板７６に設けられた電極パッドとが電気的に接続され、電極パッドと各リードピン８１とがワイヤ８２によって接続されていてもよい。これにより、光検出器７７、温度検出器、及びファブリペロー干渉フィルタ１のそれぞれに対する電気信号の入出力等が可能である。
【００８３】
パッケージ７１には、開口７１ａが形成されている。より具体的には、開口７１ａは、その中心線がライン９に一致するようにキャップ７３の天壁７５に形成されている。ライン９に平行な方向から見た場合に、開口７１ａの形状は、円形状である。天壁７５の内面７５ａには、開口７１ａを塞ぐように光透過部材８３が配置されている。光透過部材８３は、天壁７５の内面７５ａに気密接合されている。光透過部材８３は、ライン９に平行な方向において互いに対向する光入射面８３ａ及び光出射面（内面）８３ｂ、並びに側面８３ｃを有している。光透過部材８３の光入射面８３ａは、開口７１ａにおいて天壁７５の外面と略面一となっている。光透過部材８３の側面８３ｃは、パッケージ７１の側壁７４の内面７４ａに接触している。つまり、光透過部材８３は、開口７１ａ内及び側壁７４の内面７４ａに至っている。このような光透過部材８３は、開口７１ａを下側にした状態でキャップ７３の内側にガラスペレットを配置し、そのガラスペレットを溶融させることで、形成される。つまり、光透過部材８３は、融着ガラスによって形成されている。
【００８４】
光透過部材８３の光出射面８３ｂには、接着部材８５によって、バンドパスフィルタ８４が固定されている。つまり、接着部材８５は、天壁７５の内面７５ａに接合された光透過部材８３を介して、天壁７５の内面７５ａに対してバンドパスフィルタ８４を固定している。バンドパスフィルタ８４は、光透過部材８３を透過した光のうち、光検出装置１０の測定波長範囲の光（所定の波長範囲の光であって、ファブリペロー干渉フィルタ１の光透過領域１ａに入射させるべき光）を選択的に透過させる（すなわち、当該波長範囲の光のみを透過させる）。バンドパスフィルタ８４の形状は、四角形板状である。より具体的には、バンドパスフィルタ８４は、ライン９と平行な方向において互いに対向する光入射面８４ａ及び光出射面８４ｂ、並びに４つの側面８４ｃを有している。バンドパスフィルタ８４は、光透過性材料（例えば、シリコン、ガラス等）によって四角形板状に形成された光透過部材の表面に、誘電体多層膜（例えば、ＴｉＯ２、Ｔａ２Ｏ５等の高屈折材料と、ＳｉＯ２、ＭｇＦ２等の低屈折材料との組合せからなる多層膜）が形成されたものである。
【００８５】
接着部材８５は、バンドパスフィルタ８４の光入射面８４ａの全領域に配置された第１部分８５ａを有している。つまり、第１部分８５ａは、接着部材８５のうち、互いに対向する光透過部材８３の光出射面８３ｂとバンドパスフィルタ８４の光入射面８４ａとの間に配置された部分である。更に、接着部材８５は、ライン９に平行な方向から見た場合にバンドパスフィルタ８４の外縁から外側に突出した第２部分８５ｂを有している。第２部分８５ｂは、側壁７４の内面７４ａに至っており、側壁７４の内面７４ａに接触している。また、第２部分８５ｂは、バンドパスフィルタ８４の側面８４ｃに接触している。
【００８６】
以上のように構成された光検出装置１０においては、外部から、開口７１ａ、光透過部材８３及び接着部材８５を介して、光がバンドパスフィルタ８４に入射すると、所定の波長範囲の光が選択的に透過させられる。バンドパスフィルタ８４を透過した光がファブリペロー干渉フィルタ１の光透過領域１ａに入射すると、所定の波長範囲の光のうち所定の波長の光が選択的に透過させられる。ファブリペロー干渉フィルタ１の光透過領域１ａを透過した光は、光検出器７７の受光部に入射して、光検出器７７によって検出される。すなわち、光検出器７７は、ファブリペロー干渉フィルタ１を透過した光を電気信号に変換して出力する。例えば、光検出器７７は、受光部に入射される光の強度に応じた大きさの電気信号を出力する。
［電気的検査方法による作用及び効果］
【００８７】
上述した電気的検査方法は、複数のファブリペロー干渉フィルタ部１Ａが構成されたウェハ１００を用意するステップと、各ファブリペロー干渉フィルタ部１Ａの電気的特性を検査するステップと、を備える。この電気的検査方法では、複数のファブリペロー干渉フィルタ１になる複数のファブリペロー干渉フィルタ部１Ａについて、ウェハ１００の状態で電気的特性の検査が実施される。したがって、この電気的検査方法は、複数のファブリペロー干渉フィルタ１を効率良く且つ歩留まり良く得ることを可能にする。その理由は、次のとおりである。ファブリペロー干渉フィルタ１は、ウェハ１００から切り出されて例えば光検出装置１０にアッセンブリされるまでの各工程を経る間に、特性が変化し易い素子である。そのため、最終段階のアッセンブリの際にファブリペロー干渉フィルタ１の特性を検査する必要があると考えられる。しかし、ウェハ１００の状態で良品であったファブリペロー干渉フィルタ部１Ａは、その後に特性が変化しても、不良品のファブリペロー干渉フィルタ１にはなり難いことが、本発明者らによって見出された。そこで、ウェハ１００の状態で各ファブリペロー干渉フィルタ部１Ａの電気的特性を検査することで、ウェハ１００の状態で不良品であったファブリペロー干渉フィルタ１が最終段階のアッセンブリに至るような無駄を初期段階で排除しつつ、良品のファブリペロー干渉フィルタ１が最終段階のアッセンブリに至る確率を向上させることができる。
【００８８】
しかも、この電気的検査方法によれば、各ファブリペロー干渉フィルタ部１Ａの電気的特性を効率良く且つ精度良く検査することができる。その理由は、次のとおりである。例えば、個々のファブリペロー干渉フィルタ１について電気的特性の検査を実施しようとすると、例えば、ファブリペロー干渉フィルタ１の一対の端子１５，１６に一対のプローブ針５４３を確実に接触させるために、ファブリペロー干渉フィルタ１ごとに支持角度を調整する必要が生じる。ウェハ１００の状態で各ファブリペロー干渉フィルタ部１Ａの電気的特性を検査することで、そのような調整の負担を減少させることができる。また、ファブリペロー干渉フィルタ１では、電気的特性が温度等の環境条件によっても変化する。そのため、個々のファブリペロー干渉フィルタ１について電気的特性の検査を実施すると、検査結果の前提となる環境条件がファブリペロー干渉フィルタ１間で異なり易くなる。ウェハ１００の状態で各ファブリペロー干渉フィルタ部１Ａの電気的特性を検査することで、安定した環境条件で検査結果を得ることができる。
【００８９】
また、上述した電気的検査方法では、電気的特性を検査するステップにおいて、各ファブリペロー干渉フィルタ部１Ａに設けられた一対の端子１５，１６間において容量を測定する。これにより、各ファブリペロー干渉フィルタ部１Ａについて、第２ミラー部３２の破損の有無、配線１２ａ，１３ａ，１４ａの断線の有無等を検査することができる。
【００９０】
また、上述した電気的検査方法では、電気的特性を検査するステップにおいて、各ファブリペロー干渉フィルタ部１Ａに設けられた一対の端子１５，１６間に電圧を印加してリーク電流を測定する。これにより、各ファブリペロー干渉フィルタ部１Ａについて、空隙Ｓへの異物の混入の有無、配線１２ａ，１３ａ，１４ａの断線の有無等を検査することができる。
【００９１】
また、上述した電気的検査方法は、ウェハ１００を撮像するステップを更に備える。これにより、各ファブリペロー干渉フィルタ部１Ａの座標情報を取得し、取得した座標情報に基づいて、例えば、各ファブリペロー干渉フィルタ部１Ａの一対の端子１５，１６に一対のプローブ針５４３を接触させることができる。
【００９２】
また、ウェハ１００は、互いに対向する第１ミラー部３１と第２ミラー部３２との間の距離が静電気力によって変化する複数のファブリペロー干渉フィルタ部１Ａが構成されたものであるため、各ファブリペロー干渉フィルタ部１Ａについて光透過特性（互いに対向する第１ミラー部３１及び第２ミラー部３２を透過する光の透過率等）を検査することも可能である。しかし、そのような光検査方法は、上述した電気的検査方法よりも長時間を要することが予想される。そこで、各ファブリペロー干渉フィルタ部１Ａについて光検査方法を実施する場合には、その前に、各ファブリペロー干渉フィルタ部１Ａについて電気的検査を実施して不良品を把握しておけば、不良品の各ファブリペロー干渉フィルタ部１Ａについて光検査方法を実施してしまうような無駄を排除することができる。
【００９３】
なお、ウェハ１００では、複数のファブリペロー干渉フィルタ１になる複数のファブリペロー干渉フィルタ部１Ａが有効エリア１０１に設けられている。その一方で、基板層１１０の外縁１１０ｃに沿い且つ有効エリア１０１を囲むダミーエリア１０２に複数のダミーフィルタ部２Ａが設けられており、各ダミーフィルタ部２Ａでは、互いに対向する第１ミラー部３１と第２ミラー部３２との間に中間層２３が設けられている。これにより、ウェハ１００全体の強度が十分に確保される。そのため、各ファブリペロー干渉フィルタ部１Ａについて上述した電気的検査方法を実施する際におけるウェハ１００のハンドリングが容易になる。また、ウェハ１００が反り難くなるため、各ファブリペロー干渉フィルタ部１Ａの一対の端子１５，１６に一対のプローブ針５４３を確実に接触させることができる。
【００９４】
また、ウェハ１００の製造方法では、複数のファブリペロー干渉フィルタ部１Ａがウェハ１００の状態のままで、各ファブリペロー干渉フィルタ部１Ａにおいて空隙Ｓが形成される。これにより、空隙Ｓの形成が個々のチップレベルで実施される場合に比べ、極めて効率良く、第１ミラー部３１と第２ミラー部３２との間に空隙Ｓを形成することができる。しかも、有効エリア１０１では、二次元に配置された複数の除去予定部５０に対して中間層２３０のエッチングが同時に実施される等、基板層１１０内の任意の基板１１に対応する部分と、それを囲む周囲の基板１１に対応する部分とで、同時にプロセスが進行するため、基板層１１０の面内での応力の偏りを少なくすることができる。よって、ウェハ１００の製造方法によれば、品質の高いファブリペロー干渉フィルタ１を安定して量産することを可能にするウェハ１００を得ることができる。
【００９５】
また、レーザ光Ｌの照射によって、各ライン５に沿って基板層１１０の内部に改質領域７を形成することで、各ライン５に沿ってウェハ１００を切断することは、次の理由により、ファブリペロー干渉フィルタ１を製造する上で極めて有効である。すなわち、レーザ光Ｌを用いたウェハ１００の切断では、水が不要であるため、空隙Ｓ上に浮いた第２ミラー部３２が水圧によって破損したり、空隙Ｓ内に水が浸入してスティッキング（第２ミラー部３２が第１ミラー部３１に接触して動かなくなる現象）が発生したりすることがない。よって、レーザ光Ｌを用いたウェハ１００の切断は、ファブリペロー干渉フィルタ１を製造する上で極めて有効である。
［変形例］
【００９６】
以上、本発明の一実施形態について説明したが、本発明は、上述した実施形態に限定されるものではない。例えば、各構成の材料及び形状には、上述した材料及び形状に限らず、様々な材料及び形状を採用することができる。ウェハ１００では、基板層１１０の厚さ方向から見た場合に、ファブリペロー干渉フィルタ部１Ａの外形とダミーフィルタ部２Ａの外形とが同一でなくてもよい。また、ウェハ１００から複数のファブリペロー干渉フィルタ１を切り出す際には、全てのダミーフィルタ部２Ａを切り出さなくてもよい（つまり、全てのダミーフィルタ部２Ａを個片化しなくてもよい）。また、ダミーエリア１０２の構成は、上述したものに限定されない。例えば、ダミーエリア１０２に対応する領域において、少なくとも第２ミラー部３２が、環状に連続する第１溝２９０によって囲まれていなくてもよい（例えば、第１溝２９０が、ダミーエリア１０２に対応する領域を単に横切っていてもよい）し、デバイス層２００に第１溝２９０が形成されていなくてもよい。また、ダミーエリア１０２に対応する領域において、デバイス層２００の一部の層又はデバイス層２００の全体が設けられていなくてもよい。つまり、本発明の検査対象となるウェハにおいてダミーエリアは必須の構成ではない。また、上記実施形態では、ファブリペロー干渉フィルタ部１Ａにおいて第１電極１２と第３電極１４との間に生じる静電容量を測定したが、第１電極１２及び第３電極１４とは別に容量測定用の電極を第１ミラー部３１及び第２ミラー部３２のそれぞれ設けて、当該電極間に生じる静電容量を測定してもよい。
【００９７】
また、図１６に示されるように、ウェハ１００では、基板層１１０の内部に、第１溝２９０に対応するように改質領域７が形成されていてもよい。ここで、改質領域７が第１溝２９０に対応するとは、対向方向から見た場合に改質領域７が第１溝２９０と重なること意味し、特には、改質領域７が各ライン５に沿って形成されている状態を意味する。これにより、改質領域７から基板層１１０の厚さ方向に亀裂を伸展させて、ウェハ１００から複数のファブリペロー干渉フィルタ１を容易に且つ精度良く切り出すことができる。この場合、基板層１１０の第２表面１１０ｂ側にエキスパンドテープ６０が貼り付けられていてもよい。このとき、ウェハ１００に貼り付けられたエキスパンドテープ６０の外縁部は、環状のフレームによって保持される。これにより、基板層１１０の内部に改質領域７が形成された状態であっても、ウェハ１００を容易にハンドリングすることができる。なお、基板層１１０の内部に改質領域７が形成されたウェハ１００では、改質領域７から不意に亀裂が伸展するおそれがある。ウェハ１００では、ダミーエリア１０２のうち一対のエリア１０２ａに、複数のダミーフィルタ部２Ａ並びに第１溝２９０及び第２溝４７０が設けられていないため、亀裂の発生が抑制されると共に、仮に亀裂が進展したとしても亀裂の伸展が一対のエリア１０２ａによって停止させられる。
【００９８】
また、図１９に示されるように、第１ウェハ６１０と第２ウェハ６２０とが接合されることで構成されたウェハ６００が検査対象とされてもよい。ウェハ６００は、複数のファブリペロー干渉フィルタ部６５０Ａを含んでいる。複数のファブリペロー干渉フィルタ部６５０Ａは、第１ウェハ６１０及び第２ウェハ６２０のそれぞれに設定された各ライン５に沿ってウェハ６００が切断されることで、複数のファブリペロー干渉フィルタ６５０になる予定の部分である。ウェハ６００の厚さ方向から見た場合に、複数のファブリペロー干渉フィルタ部６５０Ａは二次元に配置されている。
【００９９】
第１ウェハ６１０は、基板層６１１と、複数の第１ミラー部６１２と、複数の駆動電極６１３と、を備えている。基板層６１１は、互いに対向する表面６１１ａ及び表面６１１ｂを有している。基板層６１１は、光透過性材料によって形成されている。各第１ミラー部６１２は、例えば、金属膜、誘電体多層膜、又はそれらの複合膜である。各駆動電極６１３は、例えば金属材料によって形成されている。
【０１００】
第２ウェハ６２０は、基板層６２１と、複数の第２ミラー部６２２と、複数の駆動電極６２３と、を備えている。基板層６２１は、互いに対向する表面６２１ａ及び表面６２１ｂを有している。基板層６２１は、光透過性材料によって形成されている。各第２ミラー部６２２は、例えば、金属膜、誘電体多層膜、又はそれらの複合膜である。各駆動電極６２３は、例えば金属材料によって形成されている。
【０１０１】
ウェハ６００では、１つの第１ミラー部６１２、１つの駆動電極６１３、１つの第２ミラー部６２２及び１つの駆動電極６２３によって、１つのファブリペロー干渉フィルタ部６５０Ａが構成されている。以下、１つのファブリペロー干渉フィルタ部６５０Ａに着目して、ウェハ６００の構成について説明する。
【０１０２】
基板層６１１の表面６１１ａには、凹部６１４が形成されている。凹部６１４の底面６１４ａには、凸部６１５が設けられている。凸部６１５の高さは、凹部６１４の深さよりも小さい。つまり、凸部６１５の端面６１５ａは、基板層６１１の表面６１１ａに対して凹んだ状態にある。第１ミラー部６１２は、凸部６１５の端面６１５ａに設けられている。駆動電極６１３は、凸部６１５を囲むように凹部６１４の底面６１４ａに設けられている。駆動電極６１３は、例えば、基板層６１１に設けられた配線（図示省略）を介して、電極パッド（図示省略）と電気的に接続されている。当該電極パッドは、例えば、基板層６１１のうち外部からアクセス可能な領域に設けられている。
【０１０３】
基板層６２１の表面６２１ｂは、例えばプラズマ重合膜等によって、基板層６１１の表面６１１ａと接合されている。基板層６２１の表面６２１ｂには、第２ミラー部６２２及び駆動電極６２３が設けられている。第２ミラー部６２２は、空隙Ｓを介して第１ミラー部６１２と対向している。駆動電極６２３は、第２ミラー部６２２を囲むように基板層６２１の表面６２１ｂに設けられており、空隙Ｓを介して駆動電極６１３と対向している。駆動電極６２３は、例えば、基板層６２１に設けられた配線（図示省略）を介して、電極パッド（図示省略）と電気的に接続されている。当該電極パッドは、例えば、基板層６２１のうち外部からアクセス可能な領域に設けられている。
【０１０４】
基板層６２１の表面６２１ａには、ウェハ６００の厚さ方向から見た場合に、第２ミラー部６２２及び駆動電極６２３を囲むように溝６２１ｃが形成されている。溝６２１ｃは、円環状に延在している。基板層６２１のうち溝６２１ｃに囲まれた部分は、溝６２１ｃが形成された部分をダイヤフラム状の保持部６２１ｄとして、ウェハ６００の厚さ方向に変位可能である。なお、ダイヤフラム状の保持部６２１ｄは、ウェハ６００の厚さ方向から見た場合に第２ミラー部６２２及び駆動電極６２３を囲む溝が、基板層６２１の表面６２１ａ及び表面６２１ｂの少なくとも一方に形成されることで、構成されていてもよい。また、ウェハ６００の厚さ方向から見た場合に第１ミラー部６１２及び駆動電極６１３を囲む溝が、基板層６１１に形成されることで、基板層６１１においてダイヤフラム状の保持部が構成されていてもよい。また、ダイヤフラム状の保持部に代えて、放射状に配置された複数の梁によって保持部が構成されていてもよい。
【０１０５】
以上のように各ファブリペロー干渉フィルタ部６５０Ａが構成されたウェハ６００では、各ファブリペロー干渉フィルタ部６５０Ａにおいて、駆動電極６１３と駆動電極６２３との間に電圧が印加されると、当該電圧に応じた静電気力が駆動電極６１３と駆動電極６２３との間に発生する。当該静電気力によって、基板層６２１のうち溝６２１ｃに囲まれた部分が基板層６１１側に引き付けられ、第１ミラー部６１２と第２ミラー部６２２との間の距離が調整される。これにより、第１ミラー部６１２と第２ミラー部６２２との間の距離に応じた波長を有する光が透過する。本発明において検査対象となるウェハ（１００，６００）は、基板層（１１０，６１１）と、基板層（１１０，６１１）上に二次元に配置された複数対の第１ミラー部（３１，６１２）及び第２ミラー部（３２，６２２）と、を備え、互いに対向する第１ミラー部（３１，６１２）と第２ミラー部（３２，６２２）との間に空隙Ｓが形成されることで、互いに対向する第１ミラー部（３１，６１２）と第２ミラー部（３２，６２２）との間の距離が静電気力によって変化する複数のファブリペロー干渉フィルタ部（１Ａ，６５０Ａ）が構成されていればよい。
【符号の説明】
【０１０６】
１Ａ，６５０Ａ…ファブリペロー干渉フィルタ部、１５，１６…端子、３１，６１２…第１ミラー部、３２，６２２…第２ミラー部、１００，６００…ウェハ、１１０，６１１…基板層、１１０ａ…第１表面、１１０ｂ…第２表面、２２０…第１ミラー層、２４０…第２ミラー層、Ｓ…空隙。
【図１】
2019095668.tif 000003
【図２】
2019095668.tif 000004
【図３】
2019095668.tif 000005
【図４】
2019095668.tif 000006
【図５】
2019095668.tif 000007
【図６】
2019095668.tif 000008
【図７】
2019095668.tif 000009
【図８】
2019095668.tif 000010
【図９】
2019095668.tif 000011
【図１０】
2019095668.tif 000012
【図１１】
2019095668.tif 000013
【図１２】
2019095668.tif 000014
【図１３】
2019095668.tif 000015
【図１４】
2019095668.tif 000016
【図１５】
2019095668.tif 000017
【図１６】
2019095668.tif 000018
【図１７】
2019095668.tif 000019
【図１８】
2019095668.tif 000020
【図１９】
2019095668.tif 000021